(57)【要約】【課題】  遊技機の再利用をし易くするとともに、貯留装置にメダルを補給するためのメダル通路部を筐体の裏面に取り付け可能な領域を広くすることができ、金属製の筐体の製造工程を複雑化しない遊技機を提供する。【解決手段】  遊技機１は、金属製の筐体Ｓ１と、筐体Ｓ１の内部に配置された貯留装置４４と、筐体Ｓ１の裏面に設けられ、貯留装置４４にメダルを補給するための補給開口１４１とを有する。補給開口は、メダルを補給開口に送るための遊技媒体通路部の遊技媒体を放出する側である放出側が挿入可能な構成である。遊技媒体通路部は、筐体Ｓ１の裏面に固定するための固定部材１５０ｂが貫通されるための貫通穴１５０ａを備えるとともに、補給開口に、上記放出側が挿入された状態で、貫通穴が移動するような構成である。筐体Ｓ１の裏面において、上記放出側が補給開口に挿入された状態で、貫通穴が移動可能な領域に、木製部材１４０が設けられている。【選択図】    図１６
2006006748.tif 000002
【特許請求の範囲】
【請求項１】
金属製の筐体と、当該筐体の内部に配置され遊技媒体を貯留する貯留装置と、
遊技機の正面側から見て、前記筐体の前面側に設けられ、前記筐体に対して開閉可能に構成された前面扉と、
前記筐体の裏面に設けられ、前記貯留装置に遊技媒体を補給するための開口である補給開口とを有し、
前記補給開口は、遊技島設備から供給される遊技媒体を前記補給開口に送るための遊技媒体通路部の遊技媒体を放出する側である放出側が挿入可能な構成であり、
前記遊技媒体通路部は、当該遊技媒体通路部を前記筐体の裏面に固定するための固定部材が貫通されるための貫通穴を備えるとともに、前記補給開口に、前記放出側が挿入された状態で、前記貫通穴が移動するような構成であり、
前記筐体の裏面において、前記放出側が前記補給開口に挿入された状態で、前記貫通穴が移動可能な領域に、前記固定部材を止着可能な止着部材が設けられていることを特徴とする遊技機。
【発明の詳細な説明】
【技術分野】
【０００１】
本発明は、パチスロ機などの遊技機に関する。
【背景技術】
【０００２】
従来において複数の遊技機は、所定の間隔を隔てて遊技場の遊技島設備に取り付けられている（例えば、特許文献１）。この遊技機の筐体が木製で構成されている場合には、加工がし易いという反面、当該遊技機の筐体がネジ・釘などの固定部材により遊技島設備に固定されると、該遊技機の筐体は固定部材による破損等が生じ易いという欠点がある。このため、木製で構成された筐体は、再利用を行うための部材としては適切ではなかった。
【０００３】
一方、遊技機の筐体が金属製で構成されている場合には、破損が生じ難く当初の形態が長時間に渡って保持されるとともに、また金属製の筐体が溶解されて他の形態として用いられることが可能であるため、当該金属製で構成された筐体は、再利用可能な部材として木製で構成された筐体よりも注目を集めている。
【０００４】
また、遊技機には、遊技媒体を貯留する貯留装置が備えられている。そして、貯留装置に対して、作業者が直接遊技媒体を補給するか、又は、遊技島設備から貯留装置に遊技媒体を供給するための通路である遊技媒体通路部により、遊技媒体が補給される。この際、遊技媒体通路部は、筐体の裏面にネジなどにより、取り付けられる。
【特許文献１】特公平０３−７２３１３号公報
【発明の開示】
【発明が解決しようとする課題】
【０００５】
しかし、金属製の筐体が用いられる場合には、筐体の再利用が可能であるので、様々な遊技店に同じ筐体を用いた遊技機が取り付けられることが多くなる。そして、遊技店に応じて、遊技島設備が異なっている場合もあり、この場合には、筐体の裏面において、遊技媒体通路部を取り付ける箇所が異なる場合も発生する。このため、筐体の裏面において、遊技媒体通路部を筐体に取り付け可能な領域が広いことが望まれているが、これを実現するためには、例えば、筐体の裏面に、非常に多数のネジ穴（遊技媒体通路部を筐体の裏面に取り付けるためのネジ穴）を設ける必要があり、金属製の筐体の製造工程が複雑化してしまう問題が生じる。
【０００６】
本発明は、以上の点に鑑みてなされたものであり、遊技機の再利用をし易くするとともに、貯留装置に遊技媒体を補給するための遊技媒体通路部を筐体の裏面に取り付け可能な領域を広くすることができ、かつ、金属製の筐体の製造工程を複雑化しない遊技機を提供することを目的とする。
【課題を解決するための手段】
【０００７】
上記課題を解決するために、本発明は、金属製の筐体と、当該筐体の内部に配置され遊技媒体を貯留する貯留装置と、遊技機の正面側から見て、前記筐体の前面側に設けられ、前記筐体に対して開閉可能に構成された前面扉と、前記筐体の裏面に設けられ、前記貯留装置に遊技媒体を補給するための開口である補給開口とを有し、前記補給開口は、遊技島設備から供給される遊技媒体を前記補給開口に送るための遊技媒体通路部の遊技媒体を放出する側である放出側が挿入可能な構成であり、前記遊技媒体通路部は、当該遊技媒体通路部を前記筐体の裏面に固定するための固定部材が貫通されるための貫通穴を備えるとともに、前記補給開口に、前記放出側が挿入された状態で、前記貫通穴が移動するような構成であり、前記筐体の裏面において、前記放出側が前記補給開口に挿入された状態で、前記貫通穴が移動可能な領域に、前記固定部材を止着可能な止着部材が設けられていることを特徴とするものである。
【発明の効果】
【０００８】
以上説明したように本発明によれば、遊技機の再利用をし易くするとともに、貯留装置に遊技媒体を補給するための遊技媒体通路部を筐体の裏面に取り付け可能な領域を広くすることができ、かつ、金属製の筐体の製造工程を複雑化しない遊技機を提供することが可能となる。
【発明を実施するための最良の形態】
【０００９】
以下、本発明を実施するための最良の形態を、図面を参照しながら具体的に説明する。ここで、添付図面において同一の部材には同一の符号を付しており、また、重複した説明は省略されている。なお、ここでの説明は本発明が実施される最良の形態であることから、本発明は当該形態に限定されるものではない。
【００１０】
図１は本発明の実施形態である遊技機１を示す正面図であり、図２は図１の遊技機１に設けられたリールの外周面に表される図柄列を示す説明図であり、図３は図１の遊技機１における筐体の内部構造を示す正面図である。
【００１１】
遊技機１（パチスロ機１）は、筐体（以下、本体部という）Ｓ１と、この本体部Ｓ１に対して開閉可能に取り付けられた前面扉Ｓ２とを有している（図１参照）。ここで、本体部Ｓ１は金属製、前面扉Ｓ２は樹脂製又は金属製で構成されているものとする。また、本体部Ｓ１の内部には、遊技機１を構成する各種の機器（例えば、ホッパー４４など）が収納されている。
【００１２】
このような遊技機１の外観正面を示す図１において、その中央部には、可変表示部を構成する３個のリール２、３、４が回転自在に設けられ、その前面に表示窓５、６、７が設けられている。各リール２、３、４の外周面には複数種類の図柄から成る図柄列が描かれ、これら図柄は表示窓５、６、７を通して観察されるようになっている。これら表示窓５、６、７には、横３本と斜め２本の計５本の入賞ラインＬ１、Ｌ２Ａ、Ｌ２Ｂ、Ｌ３Ａ、Ｌ３Ｂが設けられている。また、表示窓５〜７の下方右側には、遊技者がメダルを入れるためのメダル投入口８が配置されている。なお、本実施形態では、遊技媒体として、メダルを用いた説明を行うが、メダル以外の遊技媒体に対しても本実施形態の適用は可能である。
【００１３】
また、表示窓５〜７の左方には、上部から、４個の遊技状態表示ランプ９〜１２、３個の賭数表示ランプ１３〜１５、およびクレジット表示部１６、スタートランプ１７が設けられている。遊技状態表示ランプ９〜１２の詳細は、ビッグボーナス（以下、「ＢＢ」という。）遊技状態ランプ９、レギュラーボーナス（以下、「ＲＢ」という。）遊技状態ランプ１０、再遊技表示ランプ１１、遊技停止表示ランプ１２のことであり、ＢＢ遊技状態ランプ９はＢＢ遊技状態中に点灯、ＲＢ遊技状態ランプ１０はＲＢ遊技状態中に点灯、再遊技表示ランプ１１は再遊技（リプレイ）が発生した時に点灯、遊技停止表示ランプ１２は前回の遊技と今回の遊技の時間的間隔が所定時間未満の時やエラー発生時などに点灯するように制御され、賭数表示ランプ１３〜１５はメダル投入枚数に応じて点灯制御される。クレジット表示部１６は、２桁の７セグメントＬＥＤからなり、遊技機１に現在クレジットされているメダル数を表示する。スタートランプ１７は後述するスタートレバー３０の操作の受け付けが有効な時に点滅する。
【００１４】
また、表示窓５〜７の右方には、上部から、ボーナスカウント表示部１８、ＷＩＮランプ１９、配当枚数表示部２０、およびインサートランプ２１が設けられている。ボーナスカウント表示部１８は、３桁の７セグメントＬＥＤからなり、ボーナスゲーム入賞時に、ＲＢゲームおよびジャックゲームの残り入賞可能回数をデジタル表示する。ＷＩＮランプ１９はＢＢまたはＲＢに内部当選し、後述する画像表示装置２２で前記ＢＢまたはＲＢが内部当選した旨が告知された場合に点灯する。また、ＷＩＮランプ１９はＢＢまたはＲＢに入賞した場合には必ず点灯する。配当枚数表示部２０は、２桁の７セグメントＬＥＤからなリ、入賞によるメダル払い出し枚数を表示する。インサートランプ２１はメダル投入口８にメダルの投入が受付可能な時に点灯する。
【００１５】
また、表示窓５〜７の直ぐ下方には液晶などの画像表示装置２２が設けられている。この画像表示装置２２には遊技のデモンストレーシヨン画面や複数ゲームに渡る演出画像が表示される。画像表示装置２２の右方の本体部の迫り出し部分３７には、メダル投入口８が設けられている。
【００１６】
また、画像表示装置２２の左側には十字キー２３、Ａボタン２４、Ｂボタン２５、１ＢＥＴスイッチ２６、２ＢＥＴスイッチ２７、および最大ＢＥＴスイッチ２８が設けられている。十字キー２３は上下左右の４方向にスイッチ操作され、Ａボタン２４およびＢボタン２５と共に操作されて画像表示装置２２に表示する情報を選択する際に使用される。また、ＢＥＴスイッチ２６〜２８は、クレジット表示部１６にメダル数が表示されてクレジットされている際に、メダル投入口８へのメダル投入に代えて１回のゲームに１〜３枚のメダルを賭ける際に使用される。
【００１７】
また、画像表示装置２２の下方には、左から、クレジットメダル精算スイッチ２９、スタートレバー３０、および停止ボタン３１、３２、３３が設けられている。クレジットメダル精算スイッチ２９は遊技機１にクレジットされているメダルを精算する際に使用される。また、スタートレバー３０の操作により各リール２〜４の回転が一斉に開始する。停止ボタン３１、３２、３３は、各リール２〜４に対応して配置されており、これら各リール２〜４の回転が一定速度に達した場合に操作が有効化され、遊技者の操作に応じて各リール２〜４の回転を停止する。
【００１８】
また、遊技機１の正面下部にはメダル受皿３４が設けられている。このメダル受皿３４はメダル払出口３５から払い出されるメダルを貯めるものである。また、遊技機１の正面上部には、入賞に対してどれだけのメダルが払い出されるかを示す配当表示部３６が設けられ、その左右にスピーカ８２Ｌ、８２Ｒが取り付けられている。
【００１９】
そして、停止ボタン３１〜３３とメダル受皿３４とに上下を挟まれた位置には、機種のモチーフに対応したデザインが表された腰部パネル３８が取り付けられている。
【００２０】
図２はリール２、３、４の外周面に表される図柄列を示す。各図柄列は、複数種類の図柄を２１個配列して構成される。本形態では、この図２に示すように“７”（図柄９１）、“パンチＡ”（図柄９２）、“パンチＢ”（図柄９３）、“パンチングボール”（図柄９４）、“ベル”（図柄９５）、“チェリー”（図柄９６）、“リベンジ”（図柄９７）の７種類の図柄が設定されている。各図柄には、“１”〜“２１”のコードナンバーが付され、図柄テーブルとしてＲＯＭに格納されている。各リール２、３、４は、図柄列が図の矢印方向に移動するように回転駆動される。
【００２１】
図３に示すように、本体部Ｓ１内には、内部空間を上下に区画する仕切り板４０が取り付けられている。仕切り板４０に仕切られた上部空間には、メイン制御基盤４１およびリールユニット４２が上下に配置されている。
【００２２】
ここで、メイン制御基盤４１はマイクロコンピュータを主な構成要素とし、これに乱数サンブリングのための回路を加えて構成されており、当選、非当選を決定する内部抽選、リール２、３、４の回転および停止、メダル払い出し制御などを行う。リールユニット４２には前述したリール２、３、４やこれらを回転駆動するステッピングモータなどが格納されている。
【００２３】
仕切り板４０の下側に位置する下部空間には、払い出されるメダルが収納されるホッパー４４がその略中央に設置されている。そして、ホッパー４４の右下にはホッパー４４から溢れ出したメダルが入るメダル補助収納庫４５が配置され、ホッパー４４の下にはホッパー４４内のメダルを入賞枚数に応じてメダル払い出し口から払い出す払出ユニット４６が配置されている。また、ホッパー４４の左側には、遊技不能状態からの復帰時に用いられるリセットスイッチ、ＢＢの当選確率を調整する設定スイッチなどが設けられ、メインスイッチの操作により遊技機１への電源供給を行う電源ユニットが電源用ハウジング４７内に収納されて設置されている。
【００２４】
また、遊技機１の正面側から見て、本体部Ｓ１の奥側の面（裏面）には、ホッパー４４にメダルを補給するための開口である補給開口１４１が設けられている。
【００２５】
なお、ホッパー４４は、本体部Ｓ１内部に配置され、払い出されるメダルを貯留する貯留装置である。また、メダル補助収納庫４５は、ホッパー４４のメダルの貯留可能量を超えたメダルを収納するための補助収納部である。以下、本実施形態では、ホッパー４４を貯留装置４４といい、メダル補助収納庫４５を補助収納部４５という。
【００２６】
なお、本体部Ｓ１の側面（後述の側板Ｓ１ｂ）には、メイン制御基盤４１から送られた、現在の遊技状態などの情報をホールコンピュータに送信するための外部集中端子板２００が配設されている
ここで、図３に示すように、本体部Ｓ１の他方側である前面扉Ｓ２内には、最上部に、各遊技状態に応じて点滅パターンを表示する遊技状態表示基盤５０が設置されている。遊技状態表示基盤５０の下側で配当表示部３６の裏側には、配当表示部３６を照明するための冷陰極管のインバータである冷陰極管インバータ５２およびリール２〜４を照明する冷陰極管５４のインバータである冷陰極管インバータ５３が設置されている。また、冷陰極管インバータ５２、５３の左右には、前述したスピーカ８２Ｌ、８２Ｒが位置している。
【００２７】
表示窓５〜７の上側には、遊技状態表示基盤５０、冷陰極管インバータ５２、５３、スピーカ８２Ｌ、８２Ｒおよび後述するサブ制御基盤５５を中継する上部中継基盤５６が配置されている。
【００２８】
表示窓５〜７の下方には、画像表示装置２２の表示内容、リール図柄表示ランプ、リール図柄表示ＬＥＤ、遊技状態表示基盤５０、スピーカ８２Ｌ、８２Ｒによる効果音および通信の制御をするためのサブ制御基盤５５が、中央よりもやや下方に配置されている。また、サブ制御基盤５５を回避するようにして、投入されたメダルがメダル受皿３４に返却されるときに通る通路である遊技メダルキャンセルシュート６３が取り付けられている。
【００２９】
図４は、遊技機１の筐体を構成する本体部Ｓ１の外観を示す図である。図４に示すように、本体部Ｓ１は、遊技機１の正面側から見て（遊技者側から見て）、前面側が開口されており、箱状に形成されている。具体的には、本体部Ｓ１は、遊技機１の正面側から見て、左右に配置される２つの側板Ｓ１ａ，Ｓ１ｂと、遊技機１の正面側から見て上下に配置される頂板Ｓ１ｃ及び底板Ｓ１ｄと、遊技機１の正面側から見て奥側に配置される裏面板Ｓ１ｅとが組み合わされることにより構成されている。
【００３０】
底板Ｓ１ｄには、排出開口１０３が設けられ、裏面板Ｓ１ｅには、排出開口１０２が設けられ、側板Ｓ１ｂの下部に、木製部材１００が設けられている。
【００３１】
排出開口１０２，１０３は、貯留装置４４から溢れ出たメダルを補助収納部４５で収容せずに、遊技機１の外部に排出するための開口である。木製部材１００は、右の側板Ｓ１ａの内側の下部に配置され、例えば、ネジ、釘が挿入されてネジ、釘を止着可能な部材である。なお、裏面板Ｓ１ｄには、排出開口１０２を塞ぐための蓋体が取り付けられることが可能であり、側板Ｓ１ｂには、排出開口１０３を塞ぐための蓋体が取り付けられることが可能である。これらの排出開口１０２，１０３、木製部材１００についての詳細な説明は後述する。また、裏面板Ｓ１ｅの中央には、木製部材１４０が取り付けられている。この木製部材１４０についての詳細な説明も後述する。
【００３２】
図５、図６は、本体部Ｓ１の裏面板Ｓ１ｅのうち、メイン制御基盤４１が取り付けられている周辺を示す図である。図５に示すように、裏面板Ｓ１ｅにおいて、遊技機１の正面側から見て、メイン制御基盤４１の左側には、本体部Ｓ１の内部と外部とを貫通する貫通孔１１１が設けられている。裏面板Ｓ１ｅにおいて、貫通孔１１１の周辺には、後述する樹脂製の蓋体１１２を裏面板Ｓ１ｅに取り付けるためのネジ１１２ｂが挿入され締め込まれるための穴（ネジ穴）１１１ａが設けられている。但し、蓋体１１２を裏面板Ｓ１ｅに取り付ける部材としては、ネジに限定されず、他の部材でもよい。ここでは、一例としてネジの場合の説明を行う、以下、本実施形態で、ネジを用いる場合には、同様なことがいえる。蓋体１１２は、後述する通信ユニット１１３から出力される信号と、遊技機１の外部にある通信装置（例えば、携帯端末装置、携帯電話など）から出力される信号とが通過可能に形成された樹脂カバーであり、具体的には、例えば、ポーティリサイクル用のボードである。但し、蓋体１１２は、上述の信号を通過可能に形成された木製カバーであってもよい。また、蓋体１１２には、ネジ１１２ｂが挿入されるための穴１１２ａが設けられている。
【００３３】
そして、図５に示すように、穴１１１ａと穴１１２ａとが合わせられて、これらの穴にネジ１１２ｂが挿入され、ネジ１１２ｂが穴１１１ａに締め込まれることにより、蓋体１１２が、貫通孔１１１を覆うように、裏面板Ｓ１ｅに取り付けられる。また、ネジ１１２ｂは、これらの穴１１１ａ，１１２ａから取り出すことが可能である。
【００３４】
このため、遊技機１の正面側から見て高さ方向及び横方向からなる２次元座標上で貫通孔１１１の領域を覆うように、蓋体１１２が、本体部Ｓ１の裏面側に着脱可能に取り付けられることにより、裏面板Ｓ１ｅにおいて、通信ユニット１１３から出力される信号と、遊技機外部の通信装置から出力される信号とが通過可能に構成された信号通過部（貫通孔１１１及び蓋体１１２）が構成されるといえる。
【００３５】
また、裏面板Ｓ１ｅにおいて、貫通孔１１１の左右には、後述する通信ユニット１１３を裏面板Ｓ１ｅに取り付けるためのネジ１１３ｃ（但し、他の部材であってもよい）が挿入され締め込まれるための穴（ネジ穴）１１３ｂが設けられている。通信ユニット１１３は、遊技機１に関する情報を記憶し、遊技機外部の通信装置との間で非接触通信を行うものである。遊技機１に関する情報とは、例えば、遊技機１のシリアル番号、遊技機１を構成する各種の機器（例えば、画像表示装置２２、各種の基盤など）のシリアル番号のことである。非接触通信とは、例えば、赤外線通信（例えば、通信可能範囲が１ｍ以内で最大伝送速度は４Ｍｂｐｓである通信（具体的には、ＩｒＤＡ（商標）と呼ばれる通信））のことであるが、赤外線通信には限定されない。また、通信ユニット１１３には、ネジ１１３ｃが挿入されるための穴１１３ａが設けられている。
【００３６】
そして、図６に示すように、穴１１３ａと穴１１３ｂとが合わせられて、これらの穴にネジ１１３ｃが挿入され、ネジ１１３ｃが穴１１３ｂに締め込まれることにより、通信ユニット１１３が裏面板Ｓ１ｅに取り付けられる。このため、通信ユニット１１３は、遊技機１の正面側から見て、信号透過部（貫通孔１１１に蓋体１１２が覆われた構成）の前面側であり、かつ、信号透過部の近傍に設けられているといえる。
【００３７】
なお、前面扉Ｓ２の前面（遊技機１の正面側から見て前面）において、遊技機１の正面側から見て高さ方向及び横方向からなる２次元座標上で通信ユニット１１３の領域を含む所定領域に、通信ユニット１１３から出力される信号と、遊技機１の外部の通信装置から出力される信号とが通過不可能に形成された遮断部が配置されている。具体的な一例としては、図１に示すように、表示窓５〜７を含む領域８ａには、上記遮断部が配置されておらず、上記領域８ａや樹脂で構成された部材（例えば、十字キー２３やスタートレバー３０）以外の領域には、上記遮断部が配置されている。この遮断部は、例えば、通信ユニット１１３から出力される信号と、遊技機外部の通信装置から出力される信号とが通過不可能なメッキで構成されている。但し、前面扉Ｓ２の前面において、遮断部が配置される領域や遮断部が配置されない領域は、上述の場合に限定されない。
【００３８】
図７は、遊技機１の上方から見た場合の本体部Ｓ１の頂板Ｓ１ｃの構成を示す斜視図であり、図８は、本体部Ｓ１の内側から見た場合の頂板Ｓ１ｃの構成を示す図である。図９は、図９は、本体部Ｓ１の頂面板Ｓ１ｃが遊技島設備に取り付けられている様子を示す断面図である。図９において、角度θは、水平方向に対して、後述の本体部Ｓ１の前面側の側部１２０ｘ１がなす角度であり、長さＬは釘１２２の長さである。
【００３９】
本実施形態の遊技機１は、本体部Ｓ１の頂面側が遊技島設備に固定される。この固定のための部材としては、釘が用いられる。本実施形態では、本体部Ｓ１を遊技島設備に固定されるための固定部材の一例として、釘を用いた場合の説明を行うが、釘以外の場合でも、本実施形態の適用は可能である。
【００４０】
図７に示すように、本体部Ｓ１の頂板Ｓ１ｃには、本体部Ｓ１の外側から木製部材１２０を収納する収納部１２０ｘが設けられている。図８に示すように、収納部１２０ｘは、本体部Ｓ１の内側に突出した側部１２０ｘ１と、底部１２０ｘ２とを有する。
【００４１】
図７、図８、図９に示すように、収納部１２０ｘにおいては、本体部Ｓ１の前面側の側部１２０ｘ１は、水平方向に対して斜め方向に傾斜しており（図９に示す角度θが０でない状態）、釘１２２が木製部材１２０を貫通して遊技島設備１Ｚに固定されることが可能な位置に、釘１２２が挿入されるための挿入穴１２１ａが形成されている。また、本体部Ｓ１の底部１２０ｘ２には、収納部１２０ｘに収納された木製部材１２０を頂面板Ｓ１ｃに取り付けるためのネジ１２１ｃ（但し、他の部材であってもよい）が挿入されるための穴１２１ｂが設けられている。
【００４２】
木製部材１２０は、釘１２２が貫通可能な構成であり、釘１２２が本体部Ｓ１の頂面板Ｓ１ｃを遊技島設備に固定させるために必要な部材である。即ち、上記釘１２２は、木製部材１２０を貫いて、遊技島設備１Ｚに挿入されることにより、本体部Ｓ１の頂面板Ｓ１ｃは、遊技島設備１Ｚに止着されて固定される。このため、釘１２２が木製部材１２０を貫いて遊技島設備１Ｚに止着されている際に、木製部材１２０は、遊技島設備１Ｚに止着されている釘１２２が動かないようにする役目を果たすので、釘１２２が本体部の頂面板Ｓ１ｃを遊技島設備に固定させるために必要な部材といえる。
【００４３】
そして、木製部材１２０は、図７に示すように、その一辺部１２０ａが、底面に沿った方向に対して斜め方向に傾斜している。即ち、木製部材１２０は、収納部１２０ｘに収納された状態で、本体部Ｓ１の前面側の側部１２０ｘ１に、一辺部１２０ａが対面接触するような構成である。なお、木製部材１２０の代わりに、上述の特徴（釘１２２が貫通可能な構成であり、一辺部１２０ａが、底面に沿った方向に対して斜め方向に傾斜しているなど）を備えた樹脂性の部材が用いられても良い。
【００４４】
収納部１２０ｘに木製部材１２０が収納された場合、図８に示すように、収納部１２０ｘの底部１２０ｘ２に設けられた穴１２１ｂにネジ１２１ｃが挿入されて、ネジ１２１ｃが木製部材１２０に挿入され止着されることにより、木製部材１２０が頂面板Ｓ１ｃに固定して取り付けられる。
【００４５】
また、図９に示すように、作業者が挿入穴１２１ａから釘１２２を挿入していくと、木製部材１２０を貫通して、遊技島設備１Ｚに挿入され、釘１２２が木製部材１２０を介して、遊技島設備１Ｚに止着される。
【００４６】
なお、上述の説明では、本体部Ｓ１の前面側の側部１２０ｘ１は、水平方向に対して斜め方向に傾斜している場合の説明を行ったが、これに限定されず、例えば、本体部Ｓ１の裏面側の側部１２０ｘ１が水平方向に対して斜め方向に傾斜していてもよい。また、全ての側部１２０ｘ１は、水平方向に対して斜め方向に傾斜していてもよい。
【００４７】
また、木製部材１２０には、収納部１２０ｘに収納されたときに、挿入穴１２１ａと連通した挿入孔が、挿入穴１２１ａの位置から木製部材１２０を貫通しない長さ又は貫通する長さで、形成されていてもよい。
【００４８】
図１０は、本体部Ｓ１の前面側の端部近傍を示す図である。ここでは、一例として、側板Ｓ１ｂの前面側の端部付近の説明を行うが、側板Ｓ１ａ，頂面板Ｓ１ｃ，底板Ｓ１ｄの前面側の端部付近の場合も同様な構成になっている。
【００４９】
図１０に示すように、側板Ｓ１ｂの前面側の端部には、金属製の板材１３０が、ネジ１３２ａにより固定されているとともに、溶接による接合により固定されている。
【００５０】
図１１は、金属製の板材１３０が側板Ｓ１ｂに固定される様子を示す図である。図１１（ａ）に示すように、金属製の板材１３０においては、その先端は、折り曲げられて、側板Ｓ１ａの開口側の端部から突出した金属製の板部１３０ａが形成されている。側板Ｓ１ｂには、金属製の板材１３０を側板Ｓ１ｂに取り付けるためのネジ１３２ａが挿入され締め込まれるためのネジ穴１３２ｂが形成されており、金属製の板材１３０には、ネジ１３２ａを挿入するための穴１３２ｃが形成されている。
【００５１】
そして、穴１３２ｃと、ネジ穴１３２ｂとが合わせられて、これらの穴に、ネジ１３２ａが挿入され、ネジ穴１３２ｂに締め込まれることにより、金属製の板材１３０が側板Ｓ１ｂに取り付けられる。
【００５２】
そして、図１１（ｃ）に示すように、金属製の板材１３０において設けられた凹部１３１には、溶接棒１３３が挿入されて、溶接処理（例えば、スポット溶接処理など）が行われ、金属製の板材１３０が側板Ｓ１ｂにより強固に取り付けられる。
【００５３】
このようにして金属製の板材１３０が側板Ｓ１ａに取り付けられた場合、前面扉Ｓ２が本体部Ｓ１の開口に対して、閉じた状態で、金属製の板部１３０ａは、側板Ｓ１ａの開口側の端部から、前面扉Ｓ２側に突出することになる。
【００５４】
なお、金属製の板材１３０が側板Ｓ１ｂに取り付けられる方法としては、上述したネジ及び溶接による固定に限定されず、いずれか１つ（ネジ又は溶接）による固定でもよいし、また、他の方法により取り付けられてもよい。
【００５５】
金属製の板材１３０が、側板Ｓ１ｂに取り付けられることにより、本体部Ｓ１の開口側の端部から、前面扉Ｓ２側に突出する金属製の板部１３０ａを形成する方法は、上述の方法に限定されない。また、金属製の板部１３０ａが、本体部Ｓ１の開口側の端部から、前面扉Ｓ２側に突出する形態は特に限定されない。
【００５６】
また、上述の説明では、金属製の板部１３０ａは、本体部Ｓ１の構成とは別の金属製の板材１３０により形成されていたが、これに限定されず、上記金属製の板材１３０を用いずに、本体部Ｓ１の端部の曲げ加工により形成されてもよい。即ち、金属製の板部１３０ａは、本体部Ｓ１の前面側の端部が、前面扉Ｓ２が筐体Ｓ１の開口に対して閉じた状態で前面扉Ｓ２側に突出するような曲げ加工により形成されてもよい。
【００５７】
図１２は、本体部Ｓ１の裏面板Ｓ１ｅを、遊技機１の背面側から見た場合における構成を示す図である。図１２に示すように、裏面板Ｓ１ｅにおいて、木製部材１４０の下側には、後述するメダル通路部の遊技媒体を放出する側の部分を固定するネジ１６０ｄ（但し、他の部材であってもよい）が挿入されて締め込まれるための穴１４２が設けられている。また、裏面板Ｓ１ｅにおいて、貯留装置４４にメダルを補給するための開口である補給開口１４１が設けられている。
【００５８】
補給開口１４１は、遊技島設備のメダル補給装置から供給されるメダルを補給開口に送るためのメダル通路部のメダルを放出する側である放出側が挿入可能な構成である。
【００５９】
図１３，図１４，図１５は、メダル通路部（遊技媒体通路部）の構成を示す図である。図１６、図１７は、メダル通路部が裏面板Ｓ１に取り付けられる様子を示す図である。メダル通路部は、遊技島設備のメダル補給装置から貯留装置４４にメダルが補給される場合に、用いられる。
【００６０】
メダル通路部は、メダル通過部１５０と、メダル放出部１６０とを有する。メダル通過部１５０は、遊技島設備のメダル補給装置から送られてきたメダルをメダル放出部１６０に通過させるためのものである。図１３に示すように、メダル通過部１５０においては、上下の端部が開口されており、上端部が遊技島設備のメダル補給装置に取り付けられ、下端部は、後述のメダル放出部１６０に取り付けられる。また、メダル通過部１５０には、上端部の近傍に、メダル通過部１５０を裏面板Ｓ１ｅに固定するためのネジ１５０ｂ（但し、他のボルトや釘などの固定部材であってもよい）が貫通されるための貫通穴１５０ａが形成された貫通穴部１５０ｘが設けられているとともに、下端部の近傍に、メダル通過部１５０をメダル放出部１６０に取り付けるためのネジ（但し、他の取り付け部材であってもよい）が挿入されるための穴１５０ｂが設けられている。
【００６１】
メダル放出部１６０は、メダル通過部１５０の下端部から送られてきたメダルを貯留装置４４に放出するためのものである。図１４、図１５に示すように、メダル放出部１６０は、受入部１６１と、排出部１６２とを有する。
【００６２】
受入部１６１には、メダル通過部１５０の下端部を遊挿可能な開口１６０ｃが設けられている。また、受入部１６１には、メダル放出部１６０を裏面板Ｓ１ｅに固定するためのネジ１６０ｄ（但し、他の固定部材であってもよい）が挿入されるための穴１６０ｂが設けられているとともに、メダル通過部１５０をメダル放出部１６０に取り付けるためのネジが挿入されるための穴１６０ａが設けられている。
【００６３】
これらの穴１６０ａ及び穴１５０ｂにネジが挿入されて、メダル通過部１５０がメダル放出部１６０に取り付けられる場合、メダル通過部１５０においては、穴１６０ａ及び穴１５０ｂにネジが挿入された位置を軸にして、メダル通過部１５０の上端部側（貫通穴１５０ａが設けられている側）が移動可能となる。このため、メダル通路部は、補給開口１４１に、メダル通路部のメダルの放出側（メダル放出部１６０の排出部１６２）が挿入された状態で、貫通穴１５０ａが移動するような構成といえる。
【００６４】
また、排出部１６２は、補給開口１４２に挿入されて、本体部Ｓ１の内部に配置される。このため、補給開口１４２は、メダル通路部のメダルを放出する側である放出側が挿入可能な構成であるといえる。また、排出部１６２には、メダルを貯留装置４４に送り出すための開口（図示せず）が設けられており、この開口が、貯留装置４４の上方にあるように、排出部１６２が本体部Ｓ１の内部に配置される。これにより、遊技島設備のメダル補給装置から送られたメダルは、メダル通過部１５０、受入部１６１、排出部１６２を介して、排出部１６２に設けられた上記開口から、貯留装置４４に送られる。
【００６５】
なお、木製部材１４０は、例えば、ネジ、釘などの固定部材が挿入されて止着可能な部材である。また、裏面板Ｓ１ｅにおいて、木製部材１４０は、メダル放出部１６０の排出部１６２が補給開口１４２に挿入された状態で、貫通穴１５０ａが移動可能な領域に、設けられている。
【００６６】
このように構成されたメダル通路部を裏面板Ｓ１ｅに取り付ける方法を以下に示す。先ず、排出部１６２が補給開口１４１に挿入され、排出部１６２の開口から貯留装置４４にメダルを送り出せるような位置であって、穴１６０ｂと穴１４２とが合わせられた状態で、ネジ１６０ｄがこれらの穴に挿入されて締め込まれることにより、メダル放出部１６０は、裏面板Ｓ１ｅに取り付けられる。
【００６７】
次に、メダル通過部１５０の下端部がメダル放出部１６０の開口１６０ｃに挿入された状態で、穴１６０ａ及び穴１５０ｂにネジ（図１６，図１７では省略している）が挿入されて、メダル通過部１５０がメダル放出部１６０に対して取り付けられる。この取り付けられた状態では、メダル通過部１５０においては、穴１６０ａ及び穴１５０ｂにネジが挿入された位置を軸にして、メダル通過部１５０の上端部側（貫通穴１５０ａが設けられている側）が移動可能となる。
【００６８】
ここで、木製部材１４０は、メダル放出部１６０が補給開口１４２に挿入された状態で、貫通穴１５０ａが移動可能な領域に、設けられているので、例えば、図１６に示すような貫通穴１５０ａの位置で、上記貫通穴１５０ａにネジ１５０ｂを挿入して木製部材１４０にネジ１５０ｂを止着させることにより、メダル通過部１５０が裏面板Ｓ１ｅに固定される。
【００６９】
また、例えば、図１７に示す貫通穴１５０ａの位置で、上記貫通穴１５０ａにネジ１５０ｂを挿入して木製部材１４０にネジ１５０ｂを止着させることにより、メダル通過部１５０が裏面板Ｓ１ｅに固定される。
【００７０】
なお、裏面板Ｓ１ｅには、本体部Ｓ１の裏面側から補給開口１４１を覆うための蓋体（図示せず）が着脱可能に取り付けられるための取り付け孔（図示せず）が設けられているとともに、上記蓋体にも、上記取り付け孔（図示せず）が設けられている。そして、これらの取り付け孔が合わせられて、例えば、ネジなどの固定部材が挿入されて締め込まれることにより、上記蓋体が裏面板Ｓ１ｅに取り付けられ、固定部材を取り付け孔から取り出すことにより、上記蓋体を裏面板Ｓ１ｅから取り外すことができる。
【００７１】
また、メダル通路部においては、上述の構成に限定されず、例えば、メダル放出部１６０のような部材が備えられておらず、メダル通過部１５０が長くなったような構成であってもよい。そして、メダル通路部は、補給開口１４１に、メダル通路部のメダルを放出する側が、遊挿された状態で、貫通穴１５０ａが移動可能なような構成であってもよい。
【００７２】
図１８は、遊技機１の正面側から見て、本体部Ｓ１の右下部分を拡大した様子を示す図であり、図１９、図２０は、メダル通路部１８０のメダルの放出側が排出開口１０３に挿入されている様子を示す図であり、図２１は、メダル通路部１８０のメダルの放出側が排出開口１０２に挿入されている様子を示す図である。
【００７３】
メダル通路部１８０は、補助収納部４５を用いないで、排出開口１０２又は排出開口１０３を介して、遊技機外部にメダルを排出する場合に、用いられる。
【００７４】
メダル通路部１８０は、貯留装置４４のメダルの貯留可能量を超えたメダルを排出開口１０２又は排出開口１０３に送るための通路である。メダル通路部１８０においては、上端部に開口が形成され、この開口は、貯留装置４４に設けられた排出穴（貯留可能量を超えたメダルを排出するための穴）と連通されており、下端部に開口が形成され、この開口からメダルが放出される。また、メダル通路部１８０には、当該メダル通路部１８０を本体部Ｓ１の内面側（例えば、側板Ｓ１ｂの内面側）に固定するためのネジ１８０ｂ（但し、ネジ以外の他の固定部材であってもよい）が貫通されるための貫通穴１８０ａが形成された貫通穴部１８０ｘが設けられている。
【００７５】
図２１に示すように、遊技機１の正面側から見て、裏面板Ｓ１ｅの右下部には、排出開口１０２が設けられている。この排出開口１０２は、貯留装置４４のメダルの貯留可能量を超えたメダルを遊技機外部に排出するための開口であり、かつ、メダル通路部１８０のメダルの放出側を挿入可能な開口（第１の排出開口）である。本実施形態では、排出開口１０２は、メダル通路部１８０のメダルの放出側を遊挿可能な構成である。但し、排出開口１０２は、メダル通路部１８０のメダルの放出側を遊挿可能な構成でなくともよい（単に挿入可能な構成であってもよい）。
【００７６】
また、裏面板Ｓ１ｅにおいて、排出開口１０２の上部には、後述する蓋体１７０を裏面板Ｓ１ｅに固定させるためのネジ（但し、他の固定部材であってもよい）が挿入され締め込まれるための穴１０２ａ（蓋体１７０が裏面板Ｓ１ｅに着脱可能に取り付けられるための取り付け部）が設けられている。
【００７７】
また、図１９，図２０に示すように、遊技機１の正面側から見て、底板Ｓ１ｄの右部には、楕円形状の排出開口１０３が設けられている。この排出開口１０３は、貯留装置４４のメダルの貯留可能量を超えたメダルを遊技機外部に排出するための開口であり、かつ、メダル通路部１８０のメダルの放出側を遊挿可能な開口である。
【００７８】
また、図１８に示すように、遊技機１の正面側から見て、側板Ｓ１ｂの下部には、貯留装置４４、排出開口１０２、排出開口１０３の近傍の位置に、ネジなどの固定部材を止着可能な木製部材１００が取り付けられている。この木製部材１００は、上述した木製部材１４０と同様の材質で構成されてもよい。
【００７９】
図１９、図２０に示すように、木製部材１００は、メダル通路部１８０のメダルの放出側が排出開口１０３に遊挿された状態で、貫通穴１８０ａが対面接触可能な領域に、設けられている。具体的な説明は以下のとおりである。木製部材１００は、排出開口１０３の長手方向に沿った面である側板Ｓ１ｂに取り付けられている。そして、木製部材１００は、メダル通路部１８０のメダルの放出側が、排出開口１０３の一方の端部に挿入されている状態で、貫通穴１８０ａが対面接触可能であり（図１９）、メダル通路部１８０のメダルの放出側が、排出開口１０３の他方の端部に挿入されている状態で、貫通穴１８０ａが対面接触可能（図２０）なように、側板Ｓ１ｂの下部に設けられている。
【００８０】
なお、木製部材１００は、メダル通路部１８０のメダルの放出側が排出開口１０３に遊挿された状態と、メダル通路部１８０のメダルの放出側が排出開口１０２に挿入（遊挿）された状態とのいずれの状態であっても、貫通穴１８０ａが対面接触可能な領域に、設けられている。具体的には、メダル通路部１８０のメダルの放出側が排出開口１０３内のどの位置に挿入された場合でも、メダル通路部１８０のメダルの放出側が排出開口１０２に挿入（遊挿）された場合でも、木製部材１００は、貫通穴１８０ａが対面接触可能なような位置及び大きさで側板Ｓ１ｂに設けられている。
【００８１】
先ず、補助収納部４５が本体部Ｓ１の内部に収納される場合の説明を行う。この場合には、図１８に示すように、裏面板Ｓ１ｅには、排出開口１０２を覆うための蓋体１７０が着脱可能に取り付けられる。蓋体１７０には、検知プレート（図示せず）が設けられている。この検知プレートは、補助収納部４５が本体部Ｓ１の内部に配置された状態で、補助収納部４５に所定量のメダル（例えば、補助収納部４５が収納可能な最大限の量のメダル）が貯留されたことを検知可能なものである。検知プレートは、例えば、蓋体１７０が裏面板Ｓ１ｄに取り付けられた状態で、蓋体１７０の上部に配設されている。
【００８２】
また、蓋体１７０には、蓋体１７０を裏面板Ｓ１ｅに固定させるためのネジ（但し、他の固定部材であってもよい）が挿入される穴１７０ａが設けられている。そして、検知プレートの設けられた面が遊技機１の正面側から見て前面側になるように、穴１７０ａと穴１０２ａとが合わせられ、これらの穴にネジが挿入され締め込まれることにより、蓋体１７０が裏面板Ｓ１ｅに取り付けられる。
【００８３】
また、図１８に示すように、底板Ｓ１ｄ及び木製部材１００を跨ぐ位置に、排出開口１０３を覆うための蓋体１０１が着脱可能に取り付けられる。具体的な説明は以下の通りである。木製部材１００は、本体部Ｓ１の内側から排出開口１０３を覆うための蓋体１０１を、木製部材１００に取り付けるためのネジ１０１ｃが着脱可能に止着されることが可能な構成である。
【００８４】
蓋体１０１には、蓋体１０１を木製部材１００に取り付けるためのネジ１０１ｃ（他の取り付け部材であってもよい）が挿入される穴１０１ｂが設けられている。そして、穴１０１ｂにネジ１０１ｃが挿入され木製部材１００に止着されることにより、蓋体１０１が底板Ｓ１ｄ及び木製部材１００を跨ぐ位置に取り付けられる。そして、穴１０１ｂから、木製部材１００に止着されたネジ１０１ｃが取り出されることにより、蓋体１０１を底板Ｓ１ｄ及び木製部材１００から、取り外すことが可能となる。
【００８５】
次に、補助収納部４５が本体部Ｓ１の内部に収納されず、メダル通路部１８０のメダルの放出側が排出開口１０３に挿入される場合の説明を行う。この場合には、ネジ１０１ｃが穴１０１ｂから取り出され、蓋体１０１が本体部Ｓ１から外される。メダル通路部１８０の上端部は、貯留装置４４の排出穴に連通するように取り付けられ、メダル通路部１８０のメダルの放出側が排出開口１０３に挿入される。この際、メダル通路部１８０のメダルの放出側は、例えば、図１９のように、排出開口１０３に挿入されることも可能であり、図２０のように、排出開口１０３に挿入されることも可能である。そして、メダル通路部１８０のメダルの放出側が、排出開口１０３に挿入された状態で、図１９、図２０に示すように、貫通穴１８０ａにネジ１８０ｂが挿入され木製部材１００に止着されることにより、メダル通路部１８０が本体部Ｓ１に取り付けられる。
【００８６】
次に、補助収納部４５が本体部Ｓ１の内部に収納されず、メダル通路部１８０のメダルの放出側が排出開口１０２に挿入される場合の説明を行う。この場合には、ネジが穴１０２ａ，１７０ａから取り出され、蓋体１７０が裏面板Ｓ１ｅから外される。メダル通路部１８０の上端部は、貯留装置４４の排出穴に連通するように取り付けられ、メダル通路部１８０のメダルの放出側が排出開口１０２に挿入される。そして、メダル通路部１８０のメダルの放出側が、排出開口１０２に挿入された状態で、図２１に示すように、貫通穴１８０ａにネジ１８０ｂが挿入され木製部材１００に止着されることにより、メダル通路部１８０が本体部Ｓ１に取り付けられる。
【００８７】
なお、木製部材１００とは別の木製部材（以下、別の木製部材という）が本体部Ｓ１の内面に取り付けられるようにしてもよい。そして、上記別の木製部材は、例えば、排出開口１０２の長手方向に沿った裏面板Ｓ１ｅに設けられ、メダル通路部１８０のメダルの放出側が排出開口１０２に遊挿された状態で、貫通穴１８０ａが対面接触可能な領域に、設けられているようにしてもよい。また、排出開口１０２は、裏面板Ｓ１ｅに限定されず、側板Ｓ１ａ、側板Ｓ１ｂに設けられてもよい。また、木製部材１００は、貯留装置４４、排出開口１０２、排出開口１０３の全てに近傍する位置に設けられる場合に限定されず、これらの少なくとも１つに近傍する位置に設けられてもよい。
【００８８】
図２２は、本体部Ｓ１の外側から見た場合における側板Ｓ１ｂの斜視図である。上述したように、側板Ｓ１ｂには、外部集中端子板２００が取り付けられているが、外部集中端子板２００は、本体部Ｓ１の内部に必要に応じて収納される部材であり、本体部Ｓ１の内部に収納される場合もあれば、収納されない場合もある。側板Ｓ１ｂにおいて、外部集中端子板２００が配置される領域には、外部集中端子板２００を側板Ｓ１ｂに締結させるネジ２０１（締結具）を受け入れるためのネジ穴２００ａ（締結孔）が設けられている。具体的には、側板Ｓ１ｂにおいて、外部集中端子板２００を側板Ｓ１ｂに取り付けるためのネジ２０１（但し、ネジに限定されず、ナットなどの部材でもよい、ここでは、一例としてネジの場合の説明を行う）が挿入されて締め込まれるためのネジ穴２００ａが設けられている。
【００８９】
ここで、各ネジ穴２００ａは、バーリングタップ加工により形成された穴である。具体的には、各ネジ穴２００ａは、側板Ｓ１ｂを貫通する貫通孔であり、貫通孔の内部には、バーリングタップ加工により、ネジ山が形成されている。図２３は、バーリングタップ加工により、側板Ｓ１ｂにおける上記貫通孔にネジ山が形成された様子を示す図である。但し、各ネジ穴２００ａは、上記貫通孔に設けられた溶接ナットに形成されたネジ穴（ネジ孔）であってもよい。  
図２４（ａ）は、ネジ２０１がネジ穴２００ａに差し込まれる様子を示す図である。図２４（ａ）に示すように、本体部Ｓ１の内部に外部集中端子板２００が収納されない場合、各ネジ２０１は、そのまま、本体部Ｓ１の外側方向から、各ネジ穴２００ａに差し込まれて締め込まれる。なお、各ネジ２０１は、本体部Ｓ１の内側方向から、各ネジ穴２００ａに差し込まれて締め込まれてもよい。
【００９０】
図２４（ｂ）は、ネジ２０１が外部集中端子板２００を挟んだ状態で、ネジ穴２００ａに差し込まれる様子を示す図である。図２４（ｂ）に示すように、外部集中端子板２００に設けられた、側板Ｓ１ｄに取り付けるための孔と、側板Ｓ１ｄに設けられたネジ穴２００ａとが合わせられて、ネジ２０１が、本体部Ｓ１の内側から、挿入されて、ネジ穴２００ａに締め込まれることにより、外部集中端子板２００が、側板Ｓ１ｄに取り付けられる。これにより、ネジ穴２００ａには、外部集中端子板２００が本体部Ｓ１の内部に収納されない場合には、ネジ２０１が差し込まれており、外部集中端子板２００が本体部Ｓ１に収納される場合には、ネジ２０１が、外部集中端子板２００を挟んだ状態で本体部Ｓ１に締め込まれるといえる。
【００９１】
なお、本実施形態では、本体部Ｓ１の内部に必要に応じて収納される部材として、外部集中端子板２００の場合を説明したが、これに限定されず、他の部材であっても適用が可能である。
【００９２】
また、メダル放出部１６０の受入部１６１は、本体部Ｓ１の再利用や再使用などにより、本体部Ｓ１からの取り外しと取り付けとの繰り返しの回数を示す繰り返し回数が少ない回数（第１の所定回数、例えば、数回程度）である部材である。そして、本体部Ｓ１にメダル放出部１６０の受入部１６１を固定させる固定部材（締結具）は、例えば、ネジ１６０ｄであり、このネジ１６０ｄを受け入れるための穴１４２（締結孔）には、バーリングタップ加工によりネジ山が形成されている。
【００９３】
また、メイン制御基盤４１は、本体部Ｓ１の再利用や再使用などにより、本体部Ｓ１からの取り外しと取り付けとの繰り返しの回数を示す繰り返し回数が多い回数（第１の所定回数より多い第２の所定回数、例えば、数十程度）である部材である。そして、本体部Ｓ１にメイン制御基盤４１を固定させる固定部材（締結具）は、例えば、ネジであり、このネジを受け入れるためのネジ穴（締結孔）は、溶接ナットに形成されたネジ穴である。
【００９４】
図２５は、遊技機１の背面側から見た場合の裏面板Ｓ１ｅのうち、メイン制御基盤４１が取り付けられている付近の部分を示す図であり、図２６は、メイン制御基盤４１が、裏面板Ｓ１ｅに取り付けられる際に、メイン制御基盤４１と裏面板Ｓ１ｅとの間に、配置されるカバー部材２３０を示す図であり、図２７、図２８は、メイン制御基盤４１が、裏面板Ｓ１ｅに取り付けられる様子を示す図である。
【００９５】
図２５に示すように、裏面板Ｓ１ｅの外側の面には、メイン制御基盤４１を、裏面板Ｓ１ｅに固定させるネジ２４０（但し、ネジに限定されず、ボルトなどの締結具であってもよい）を受け入れるための溶接ナット２２０が設けられている。この溶接ナット２２０には、貫通孔が形成され、この貫通孔には、ネジ穴２４１（締結孔、即ち、上記ネジ２４０を受け入れ、締め込むためのもの）が形成されている。
【００９６】
図２６に示すように、カバー部材２３０には、ネジ２４０が挿入されるための穴２３０ａが設けられている。
【００９７】
図２７、図２８に示すように、メイン制御基盤４１には、ネジ２４０が挿入されるための穴４１ａが設けられている。そして、図２７，図２８に示すように、穴４１ａと、穴２３０ａと溶接ナット２２０のネジ穴２４１とが合わせられた状態で、ネジ２４０が挿入され、ネジ穴２４１に締め込まれることにより、メイン制御基盤４１が裏面板Ｓ１ｅに取り付けられる。
【００９８】
ここで、メダル放出部１６０の受入部１６１を本体部Ｓ１に取り付けるための穴１４２に形成されたネジ穴は、バーリングタップ加工により形成されたものであり、メイン制御基盤４１を本体部Ｓ１に取り付けるためのネジ穴２４１は、溶接ナット２２０に形成されたネジ穴であるので、穴１４２にネジ１６０ｄが締め込まれる強度よりも、溶接ナット２２０に形成されたネジ穴２４１にネジが締め込まれる強度の方が非常に強く、ネジ穴にネジを挿入したり、取り出すことによって、ネジ穴にネジが締め込まれる強度の低下は、穴１４２にネジが締め込まれる場合よりも、溶接ナット２２０に形成されたネジ穴にネジが締め込まれる場合の方が非常に小さい。
【００９９】
このため、溶接ナット２２０のネジ穴２４１にネジ２４０が締め込まれる強度が、本体部Ｓ１からのメイン制御基盤４１の取り外しと取り付けとの繰り返しに従って、低下する度合いは、穴１４２ネジ１６０ｄが締め込まれる強度が、本体部Ｓ１からのメダル放出部１６０の受入部１６１の取り外しと取り付けとの繰り返しに従って、低下する度合いより、小さいように、溶接ナット２２０のネジ穴と、穴（ネジ穴）１４２とが構成されているといえる。
【０１００】
なお、上述した第１の所定回数である部材としては、メダル放出部１６０の受入部１６１に限定されず、他の部材であってもよい。同じく、上述した第２の所定回数である部材としては、メイン制御基盤４１に限定されず、他の部材（例えば、サブ制御基盤５５など）であってもよい。
【０１０１】
なお、バーリングタップ加工により刃状に突出したネジ穴の縁部は、突出方向と逆方向に折り曲げられるようにしてもよい。この折り曲げのための加工としては、例えば、ヘミング加工が用いられてもよい。
【０１０２】
本発明の実施形態によれば、補給開口１４１は、メダル通路部（遊技媒体通路部）のメダル放出部１６０（遊技媒体通路部のメダルを放出する側）を挿入可能な構成であり、メダル通路部は、メダル通路部１５０を本体部Ｓ１の裏面側に固定するためのネジ１５０ｂが貫通されるための貫通穴１５０ａを有するとともに、補給開口１４１にメダル放出部１６０が挿入された状態で、貫通穴１５０ａが移動するような構成であり、本体部Ｓ１の裏面において、メダル放出部１６０が補給開口１４１に挿入された状態で、貫通穴１５０ａが移動可能な領域に、ネジ１５０ｂを止着可能な木製部材１４０が設けられている。
【０１０３】
このため、メダル放出部１６０が補給開口１４１に挿入された状態で、貫通穴１５０ａが一方の端に配置された状態で、ネジ１５０ｂが貫通穴１５０ａを貫通して木製部材１４０に止着されることが可能になるとともに、貫通穴１５０ａが他方の端（例えば、上記一方の端から最も距離が遠い端）に配置された状態で、ネジ１５０ｂが貫通穴１５０ａを貫通して木製部材１４０に止着されることが可能になるので、本体部Ｓ１の裏面において、メダル通路部を本体部Ｓ１の裏面に取り付け可能な領域が広くなる場合がある。
【０１０４】
また、金属製の本体部Ｓ１に設けられた木製部材１４０に、直接ネジ１５０ａを挿入して止着することができるので、本体部Ｓ１の裏面に、非常に多数のネジ穴などを予め設ける必要がなく、金属製の本体部Ｓ１の製造工程が複雑化してしまう事態が回避できる場合がある。
【０１０５】
また、本実施形態によれば、本体部Ｓ１の裏面には、本体部Ｓ１の裏面側から補給開口１４１を覆うための蓋体（図示せず）が着脱可能に取り付けられるための取り付け孔（図示せず）が設けられているので、貯留装置４４に作業者が直接メダルを補給する場合には、補給開口１４１を蓋体で覆うことが可能となるので、メダル通路部が補給開口１４１に挿入されない場合に、補給開口１４１から異物などが遊技機内部に入ってしまう事態が避けられる場合がある。
【０１０６】
また、遊技店において旧式の遊技機１が最新の遊技機１に交換された場合には、旧式の遊技機１の本体部Ｓ１が金属製であるため、金属製で構成された本体部Ｓ１が溶解されて他の形態として用いられることが可能となり、さらに本体部Ｓ１の外装が傷み難く、遊技機１は再利用し易い構造を持つことができる場合がある。
【０１０７】
以上の説明においては、本発明を遊技機の一つであるパチスロ機に適用した場合が説明されているが、本発明はこれに限定されるものではなく、パチンコ機、弾球式遊技機又はゲームセンターに設置された各種ゲーム機などに適用することが可能である。
【０１０８】
また、本発明の実施形態の一例を説明したが、具体例を例示したに過ぎず、特に本発明を限定するものではなく、各手段の具体的構成等は、適宜設計変更可能である。また、実施形態に記載された作用及び効果は、本発明から生じる最も好適な作用及び効果を列挙したに過ぎず、本発明による作用及び効果は、本発明の実施形態に記載されたものに限定されるものではない。
【図面の簡単な説明】
【０１０９】
【図１】本発明の一実施形態である遊技機を示す正面図である。
【図２】遊技機に設けられたリールの外周面に表される図柄列を示す説明図である。
【図３】遊技機における本体部に取り付けられた各機器の位置関係を示す正面図である。
【図４】遊技機における本体部の正面を示す図である。
【図５】本体部の裏面板のうち、メイン制御基盤が取り付けられている周辺を示す図である。
【図６】本体部の裏面板のうち、メイン制御基盤が取り付けられている周辺を示す図である。
【図７】遊技機の上方から見た場合の本体部の頂板の構成を示す斜視図である。
【図８】本体部の内側から見た場合の頂板の構成を示す図である。
【図９】本体部の頂面板が遊技島設備に取り付けられている様子を示す断面図である。
【図１０】本体部の前面側の端部近傍を示す図である。
【図１１】金属製の板材が側板に固定される様子を示す図である。
【図１２】本体部の裏面板を、遊技機の背面側から見た場合における構成を示す図である。
【図１３】メダル通路部（遊技媒体通路部）の構成を示す図である。
【図１４】メダル通路部（遊技媒体通路部）の構成を示す図である。
【図１５】メダル通路部（遊技媒体通路部）の構成を示す図である。
【図１６】メダル通路部が裏面板に取り付けられる様子を示す図である。
【図１７】メダル通路部が裏面板に取り付けられる様子を示す図である。
【図１８】遊技機の正面側から見て、本体部の右下部分を拡大した様子を示す図である。
【図１９】メダル通路部のメダルの放出側が排出開口に挿入されている様子を示す図である。
【図２０】メダル通路部のメダルの放出側が排出開口に挿入されている様子を示す図である。
【図２１】メダル通路部のメダルの放出側が排出開口に挿入されている様子を示す図である。
【図２２】本体部の外側方向から見た場合における側板の斜視図である。
【図２３】バーリングタップ加工により、上記貫通孔にネジ山が形成された様子を示す図である。
【図２４】（ａ）は、ネジ２０１がネジ穴２００ａに差し込まれる様子を示す図であり、（ｂ）は、ネジ２０１が外部集中端子板を挟んだ状態で、ネジ穴２００ａに差し込まれる様子を示す図である。
【図２５】遊技機の背面側から見て、メイン制御基盤が取り付けられている付近の裏面板の部分を示す図である。
【図２６】メイン制御基盤４１が、裏面板に取り付けられる際に、メイン制御基盤と裏面板との間に、配置されるカバー部材を示す図である。
【図２７】メイン制御基盤が、裏面板に取り付けられる様子を示す図である。
【図２８】メイン制御基盤が、裏面板に取り付けられる様子を示す図である。
【符号の説明】
【０１１０】
１…遊技機、２…リール、５〜７…表示窓、８…メダル投入口、９〜１２…遊技状態表示ランプ、１３〜１５…賭数表示ランプ、１６…クレジット表示部、１７…スタートランプ、１８…ボーナスカウント表示部、１９…ＷＩＮランプ、２０…配当枚数表示部、２１…インサートランプ、２２…画像表示装置、２３…十字キー、２４…Ａボタン、２５…Ｂボタン、２６〜２８…ＢＥＴスイッチ、２９…クレジットメダル精算スイッチ、３０…スタートレバー、３１〜３３…停止ボタン、３４…メダル受皿、３５…メダル払出口、３６…配当表示部、３７…迫り出し部分、３８…腰部パネル、４０…板、４１…メイン制御基盤、４２…リールユニット、４４…ホッパー（貯留装置）、４５…メダル補助収納庫（補助収納部）、４６…払出ユニット、４７…電源用ハウジング、５０…遊技状態表示基盤、５２…冷陰極管インバータ、５３…冷陰極管インバータ、５４…冷陰極管、５５…サブ制御基盤、５６…上部中継基盤、６３…遊技メダルキャンセルシュート、１００，１２０，１４０…木製部材、１０１、１１２、１７０…蓋体、１０１ｂ、１１１ａ，１１２ａ、１１３ａ，１１３ｂ，１２１ｂ、１５０ｂ、１７０ａ…穴、１０１ｃ、１１２ｂ，１１３ｃ，１２１ｃ、１３２ａ、１５０ｂ、１８０ｂ、２０１、２４０…ネジ、１０２，１０３…排出開口、１０２ａ，１７０ｂ…穴、１１１…貫通孔、１１３…通信ユニット，１００，１２０ｘ…収納部，１２０ｘ１…側部，１２０ｘ２…底部，１２１ａ…挿入穴，１２２…釘、１３０ａ…板部，１３２ｂ、２００ａ…ネジ穴，１４１…補給開口，１５０…メダル通過部、１５０ａ、１８０ａ…貫通穴、１５０ｘ、１８０ｘ…貫通穴部、１６０…メダル放出部、１６１…受入部、１６２…排出部、１８０…メダル通路部、２００…外部集中端子板、２２０…溶接ナット、２３０…カバー部材、２４１…ネジ穴。
【図１】
2006006748.tif 000003
【図２】
2006006748.tif 000004
【図３】
2006006748.tif 000005
【図４】
2006006748.tif 000006
【図５】
2006006748.tif 000007
【図６】
2006006748.tif 000008
【図７】
2006006748.tif 000009
【図８】
2006006748.tif 000010
【図９】
2006006748.tif 000011
【図１０】
2006006748.tif 000012
【図１１】
2006006748.tif 000013
【図１２】
2006006748.tif 000014
【図１３】
2006006748.tif 000015
【図１４】
2006006748.tif 000016
【図１５】
2006006748.tif 000017
【図１６】
2006006748.tif 000018
【図１７】
2006006748.tif 000019
【図１８】
2006006748.tif 000020
【図１９】
2006006748.tif 000021
【図２０】
2006006748.tif 000022
【図２１】
2006006748.tif 000023
【図２２】
2006006748.tif 000024
【図２３】
2006006748.tif 000025
【図２４】
2006006748.tif 000026
【図２５】
2006006748.tif 000027
【図２６】
2006006748.tif 000028
【図２７】
2006006748.tif 000029
【図２８】
2006006748.tif 000030